(57)【要約】【課題】演算負荷が少ないうえに、季節変化や電力消費行動などを考慮することが可能な電力制御システムを提供する。【解決手段】太陽光発電装置１と、蓄電装置２と、蓄電装置の蓄電量の制御をおこなう制御装置３とを備えた建物の電力制御システムである。  そして、制御装置は、制御対象日の予測天気情報を取得する予測天気取得手段３１と、過去の実測天気情報と発電量と電力消費量とが関連付けられた実績データが記憶された記憶手段３５と、予測天気情報と同じカテゴリーに含まれる過去の実測天気情報に関連付けられた実績データを記憶手段から抽出するデータ抽出手段３２と、蓄電量を変えた複数のケースについて電力料金を算出し、その算出結果に基づいて基準時刻の蓄電量を決定する目標蓄電量設定手段３３と、制御対象日の蓄電スケジュールを設定する蓄電スケジュール設定手段３４とを備えている。【選択図】図１
2014107992.tif 000002
【特許請求の範囲】
【請求項１】
太陽光発電装置と、蓄電装置と、前記蓄電装置の蓄電量の制御をおこなう制御装置とを備えた建物の電力制御システムであって、
前記制御装置は、
制御対象日の予測天気情報を取得する予測天気取得手段と、
過去の実測天気情報と前記太陽光発電装置の発電量と前記建物の電力消費量とが関連付けられた実績データが記憶された記憶手段と、
前記予測天気情報と同じカテゴリーに含まれる過去の実測天気情報に関連付けられた実績データを前記記憶手段から抽出するデータ抽出手段と、
基準時刻の蓄電量を変えた複数のケースについて前記抽出された実績データと設定された電力価格とを使って電力料金を算出し、その算出結果に基づいて前記基準時刻の蓄電量を決定する目標蓄電量設定手段と、
前記目標蓄電量設定手段によって決定された蓄電量になるように制御対象日の前記蓄電装置の蓄電スケジュールを設定する蓄電スケジュール設定手段とを備えていることを特徴とする電力制御システム。
【請求項２】
前記データ抽出手段では、前記制御対象日に近い順に所定の日数分の過去の実績データを抽出することを特徴とする請求項１に記載の電力制御システム。
【請求項３】
前記目標蓄電量設定手段では、抽出された日毎に算出された電力料金の平均値を制御対象日の各蓄電量の電力料金とし、平均値が最も安くなる蓄電量を前記基準時刻の蓄電量に決定することを特徴とする請求項１又は２に記載の電力制御システム。
【請求項４】
前記目標蓄電量設定手段では、前記蓄電装置の充電率を0％から100％まで10％毎に変化させることによって前記蓄電量を変えることを特徴とする請求項１乃至３のいずれか一項に記載の電力制御システム。
【発明の詳細な説明】
【技術分野】
【０００１】
本発明は、太陽光発電装置と蓄電装置とを備えた建物において、太陽光発電装置と蓄電装置と系統電力網とから供給される電力の最適配分を制御する電力制御システムに関するものである。
【背景技術】
【０００２】
太陽光発電装置及び蓄電装置を備えた住宅を対象とした、電力料金の削減や電力負荷を平準化させるための電力制御システムが知られている（特許文献１−４など参照）。
【０００３】
さらに特許文献１−４に開示された電力制御システムでは、翌日の天気予報の情報を取り込んで、予想される天気に合わせた制御を行う構成が開示されている。
【０００４】
例えば、特許文献１，２には、翌日の天気から発電量を予測し、晴れなどで発電量が多くなると予測される場合は、太陽光発電装置によって発電された電力を充分に蓄電できるように、前日の深夜電力による蓄電装置の充電を抑える制御を行っている。
【０００５】
また、特許文献３にも、翌日の日射予測から発電量を予測する構成が開示されている。さらに、特許文献４には、翌日の天気を入力すると、予め定められた配分でバッテリーの充電が行われる構成が開示されている。
【先行技術文献】
【特許文献】
【０００６】
【特許文献１】特開２００４−２７４９８１号公報
【特許文献２】特開２００７−２９５６８０号公報
【特許文献３】特開平６−３８３８４号公報
【特許文献４】特開昭６４−５０７２３号公報
【発明の概要】
【発明が解決しようとする課題】
【０００７】
しかしながら、特許文献１−３に開示されているように発電量を予測するシステムでは、天気予報という不確定要素と発電量予測という不確定要素とを掛け合わせるため、処理が複雑となるうえに演算負荷が大きくなる割には必ずしも精度の高い予測が行えるわけではない。
【０００８】
また、特許文献４に開示されているように天気とバッテリーの蓄電量とを一対一で対応させる構成では、季節変化や住人の電力消費行動の差などが考慮されず、最適な制御が行えているとは言い難い。
【０００９】
そこで、本発明は、演算負荷が少ないうえに、季節変化や電力消費行動などを考慮することが可能な電力制御システムを提供することを目的としている。
【課題を解決するための手段】
【００１０】
前記目的を達成するために、本発明の電力制御システムは、太陽光発電装置と、蓄電装置と、前記蓄電装置の蓄電量の制御をおこなう制御装置とを備えた建物の電力制御システムであって、前記制御装置は、制御対象日の予測天気情報を取得する予測天気取得手段と、過去の実測天気情報と前記太陽光発電装置の発電量と前記建物の電力消費量とが関連付けられた実績データが記憶された記憶手段と、前記予測天気情報と同じカテゴリーに含まれる過去の実測天気情報に関連付けられた実績データを前記記憶手段から抽出するデータ抽出手段と、基準時刻の蓄電量を変えた複数のケースについて前記抽出された実績データと設定された電力価格とを使って電力料金を算出し、その算出結果に基づいて前記基準時刻の蓄電量を決定する目標蓄電量設定手段と、前記目標蓄電量設定手段によって決定された蓄電量になるように制御対象日の前記蓄電装置の蓄電スケジュールを設定する蓄電スケジュール設定手段とを備えていることを特徴とする。
【００１１】
ここで、前記データ抽出手段では、前記制御対象日に近い順に所定の日数分の過去の実績データを抽出する構成とすることができる。また、前記目標蓄電量設定手段では、抽出された日毎に算出された電力料金の平均値を制御対象日の各蓄電量の電力料金とし、平均値が最も安くなる蓄電量を前記基準時刻の蓄電量に決定する構成とすることができる。
【００１２】
さらに、前記目標蓄電量設定手段では、前記蓄電装置の充電率を0％から100％まで10％毎に変化させることによって前記蓄電量を変える構成とすることができる。
【発明の効果】
【００１３】
このように構成された本発明の電力制御システムは、太陽光発電装置と蓄電装置とを備えた建物の電力制御を行うにあたって、予測天気情報と、予測天気情報と同じカテゴリーに分類される過去の実測天気情報に関連付けられた太陽光発電装置の発電量及び電力消費量を利用する。
【００１４】
このため、発電量などの予測を行う必要がなく、演算負荷の少ないシステム構成にすることができる。また、建物の電力消費量の実績データを利用するため、建物の住人の電力消費行動を考慮した制御を行うことができる。
【００１５】
さらに、制御対象日に近い順に所定の日数分の過去の実績データを抽出する構成とすることで、季節に合わせた制御を行うことができる。また、抽出された実績データに基づいてそれぞれ算出される電力料金の平均値を使用することで、来客があった日や一日中外出していた日などの特殊な日の実績データの影響を受け難くすることができる。
【００１６】
また、蓄電量を細かく変化させたケースについて演算を行うことで、想定だけでは辿りつけない最適解を導き出すことができるようになる。
【図面の簡単な説明】
【００１７】
【図１】本発明の実施の形態の電力制御システムの構成を説明するブロック図である。
【図２】本発明の実施の形態の電力制御システムの処理の流れを説明するフローチャートである。
【図３】過去の実績データから算出される電力料金の例示をおこなった説明図である。
【図４】制御対象日の充電率を決定するための演算結果を例示した説明図である。
【発明を実施するための形態】
【００１８】
以下、本発明の実施の形態について図面を参照して説明する。
【００１９】
図１は、本実施の形態の電力制御システムの概略構成を説明するためのブロック図である。まず、図１を参照しながら電力制御システムの全体構成について説明する。
【００２０】
この電力制御システムによって制御される建物としての住宅は、電力会社の発電所や地域毎に設置されたコジェネレーション設備などの系統電力から電力の供給を受けるための電力網としての系統電力網５に接続されている。
【００２１】
また、この住宅は、分散型の発電装置としての太陽光発電装置１と、電力を一時的に蓄えておく蓄電装置２とを備えている。
【００２２】
この太陽光発電装置１は、太陽エネルギーとしての太陽光を、太陽電池を利用することによって、直接、電力に変換して発電をおこなう装置である。この太陽光発電装置１は、太陽光を受けることができる時間帯にのみ電力を供給することが可能な装置である。
【００２３】
また、太陽光発電装置１によって発電された直流電力は、通常、パワーコンディショナ（図示省略）によって交流電力に変換されて使用される。さらに、蓄電装置２に充電又は蓄電装置２から放電される際にも、パワーコンディショナ（図示省略）によって直流と交流の変換がおこなわれる。
【００２４】
なお、後述する電力負荷６の一部又は全部が、直流によって作動する装置である場合は、太陽光発電装置１によって発電された電力や蓄電装置２から放電される電力を、直流のまま利用することもできる。
【００２５】
また、住宅には、分電盤４を通して電力が供給される様々な電力負荷６が設置される。例えば、エアコンなどの空調装置、照明スタンドやシーリングライトなどの照明装置、冷蔵庫やテレビなどの家電装置などが電力によって稼働する。
【００２６】
さらに、電気自動車やプラグインハイブリッドカーは、走行させるために充電をおこなう場合は電力負荷６となる。また、蓄電装置２と同様に、住宅の電力負荷６のために放電させる場合は、蓄電装置２となる。
【００２７】
そして、本実施の形態の電力制御システムは、太陽光発電装置１及び蓄電装置２の制御を行う制御装置３を備えている。制御装置３は、蓄電装置２に蓄電させる電力を系統電力網５からの供給電力とするか、太陽光発電装置１によって発電された電力にするかなどの制御を行う。また、蓄電装置２の充電及び放電のタイミングを制御するパワーコンディショナの制御を行う。なお、これらの公知の構成の詳細についての説明はここでは省略する。
【００２８】
さらに、制御装置３は、以下で説明する演算処理を行うための様々な設定をおこなう演算条件設定手段３０と、制御対象日の天気予報となる予測天気情報を取得する予測天気取得手段３１と、実績データが記憶された記憶手段３５と、記憶手段３５から演算に必要となる実績データを抽出するデータ抽出手段３２と、蓄電装置２の基準時刻の蓄電量を決定する目標蓄電量設定手段３３と、制御対象日の蓄電装置２の蓄電スケジュールを設定する蓄電スケジュール設定手段３４とを備えている。
【００２９】
演算条件設定手段３０では、住宅に取り付けられた太陽光発電装置１の発電容量、蓄電装置２の蓄電容量、一日の時間によって変化する電力価格などの設定を行う。
【００３０】
例えば、電力価格については、２３時から７時までの深夜割引価格、７時から１０時までのリビングタイム価格、１０時から１７時までのデイタイム価格、１７時から２３時までのリビングタイム価格などの買電価格が設定される。また、太陽光発電装置１で発電した電力を電力会社等が買い取る場合は、その売電価格の設定もおこなう。
【００３１】
また、演算条件設定手段３０では、演算の前提条件となる太陽光発電装置１によって発電した電力を系統電力網５側に逆潮流として流し、電力会社に買い取ってもらうか否かを設定する。
【００３２】
さらに、演算条件設定手段３０では、蓄電装置２には、太陽光発電装置１によって発電された電力を充電させるのか、又は電力価格が安くなる深夜などに系統電力網５から供給される電力を充電させるのかの設定を行う。
【００３３】
一方、予測天気取得手段３１では、制御対象日となる例えば翌日の予測天気情報の取得を行う。この予測天気情報は、気象庁などの天気情報の提供を行うサーバなどにシステムを接続させて取得させることができる。また、気圧変化などから天気を予測する装置を設置し、その予測装置と接続して取得させることもできる。
【００３４】
ここで、予測天気情報（天気予報）には、「晴れ」、「曇り」、「雨」、「晴れ時々雨」、「晴れ後雨」などの多くの予報がある。そこで、「晴れ」、「曇り」、「雨」という３つのカテゴリーにすべての予測天気情報を分類する構成にしてもよい。例えば、「晴れ時々雨」を「曇り」というカテゴリーに入れて、「曇り」という予測天気情報と同等に扱わせることができる。
【００３５】
そして、記憶手段３５には、過去の実測天気情報と、太陽光発電装置１の発電量と、電力負荷６による電力消費量とが関連付けられた実績データを記憶させる。
【００３６】
過去の実測天気情報は、予測天気情報と同様に、気象庁などの天気情報の提供を行うサーバなどにシステムを接続させることで取得させることができる。また、太陽光発電装置１の発電量及び電力負荷６による電力消費量は、太陽光発電装置１、分電盤４又は電力負荷６などに計測器を取り付けておき、日々、計測させることで蓄積していくことができる。なお、これらの実績データは、地域や住人の家族構成や太陽光発電装置１の発電容量などが類似する他の住宅のデータを利用することもできる。
【００３７】
そして、データ抽出手段３２は、予測天気取得手段３１によって取得された予測天気情報と同じカテゴリーに含まれる過去の実測天気情報に関連付けられた実績データを、記憶手段３５から抽出する。
【００３８】
目標蓄電量設定手段３３では、基準時刻の蓄電量を決定する。基準時刻は、任意に設定することができるが、例えば、深夜電力による充電が終了し、太陽光発電装置１による発電が開始される前の午前６時や７時などに設定することができる。
【００３９】
目標蓄電量設定手段３３において蓄電量を決定する基準は、算出された電力料金の安さである。すなわち、後述する複数のケースで電力料金を算出し、その中で最も電力料金が安くなるケースで設定されていた蓄電量に決定する。
【００４０】
一方、蓄電スケジュール設定手段３４では、目標蓄電量設定手段３３によって決定された蓄電量になるように翌日（制御対象日）の蓄電装置２の蓄電スケジュールを設定する。例えば、翌日の午前７時の蓄電量を充電率100％にする場合、深夜電力によって蓄電装置２の充電率が午前７時までに100％となるように、蓄電装置２の充電制御を行う。
【００４１】
次に、本実施の形態の電力制御システムの処理の流れを、図２を参照しながら説明する。
【００４２】
まず、演算をおこなう前提条件として、記憶手段３５に少なくとも複数の実績データが蓄積されている必要がある。例えば、図３に示すように、７月１日から７月１０日までの実測天気情報が記憶手段３５に記憶されているとする。そして、図示していないが、各日付における太陽光発電装置１の発電量及び電力負荷６の電力消費量の計測値も記憶手段３５に記憶されている。
【００４３】
ステップＳ１では、演算条件設定手段３０によって太陽光発電装置１の発電容量（kW）、蓄電装置２の蓄電容量（kW）などを入力する。この入力は、システムに接続された端末（図示省略）や住宅に設置されたモニタ（図示省略）などからおこなう。また、システムに接続された太陽光発電装置１や蓄電装置２の仕様を自動的に検知する構成であってもよい。
【００４４】
また、演算時の電力価格も設定する。この設定は、端末などからおこなうこともできるが、システムに接続されたデータベース（図示省略）から抽出する構成であってもよい。また、電力会社のサーバに接続して自動更新させる構成であってもよい。
【００４５】
さらに、蓄電装置２に蓄電させる電力を、太陽光発電装置１によって発電された電力とするか、系統電力網５から供給される電力とするかを設定する。また、太陽光発電装置１で発電された電力を売電するか否かの設定も行う。
【００４６】
なお、ステップＳ１の演算条件の設定は、演算を行う度に入力する必要はなく、初期設定時や条件が変更されたときなどに行えばよい。
【００４７】
そして、ステップＳ２では、予測天気取得手段３１によって、翌日（制御対象日）の予測天気情報を取得する。例えば、制御対象日となる７月１１日の予測天気情報が「曇り」であったとする。
【００４８】
そこで、ステップＳ３では、予測天気情報と同じカテゴリーの実測天気情報となっている日付を抽出する。図３に示した例では、実測天気情報が「曇り」となっている日は、７月３日と７日と１０日の３日間である。なお、図３では１０日分の実績データを使って説明しているため、３日分の実績データしか抽出されていないが、これに限定されるものではなく、例えば過去１ヶ月分の実績データから「曇り」となる日をすべて抽出することができる。また、７月１１日に近い日から順に１０日分の「曇り」の日を抽出するという処理であってもよい。
【００４９】
続いてステップＳ４では、基準時刻（例えば午前７時）の蓄電量となる充電率を、0％から100％まで10％毎に変化させて電力料金の算出を行う。なお、この演算は予め行っておくことができ、図３は１０日分の電力料金が天気に関わらずすべて計算されたデータベースの構成を示している。ここで、A(1,0)は、７月１日の充電率0％としたときの電力料金を示している。
【００５０】
電力料金は、各日の太陽光発電装置１の発電量と電力消費量と電力価格のデータとを使って算出することができる。この３つのデータは、各日付において固定される値である。一方、充電率は、0％から100％まで変化させる。
【００５１】
例えば、午前７時までに充電率を10％にするケースと、100％にするケースとでは、発電量及び電力消費量の値が同じであっても、電力料金（A(1,10),A(1,100)）としては差が出ることになる。すなわち、充電率を100％にする場合の方が深夜電力の充電量が多くなる一方で、昼間は蓄電装置２に蓄えられた電力を電力負荷６に供給することができるので、太陽光発電装置１で発電された電力を多く売電することができる。このように、基準時刻の蓄電量を変数にして、複数のケースで電力料金を算出することができる。
【００５２】
そこで、ステップＳ５では、予測天気情報と同じカテゴリーに入る実測天気情報の７月３日の電力料金（A(3,0),・・・,A(3,100)）と、７月７日の電力料金（A(7,0),・・・,A(7,100)）と、７月１０日の電力料金（A(10,0),・・・,A(10,100)）とを使って、制御対象日となる７月１１日の電力料金を算出する。詳細には、図４に示すように、電力料金（A(3,0),・・・,A(3,100)）と電力料金（A(7,0),・・・,A(7,100)）と電力料金（A(10,0),・・・,A(10,100)）の平均値を、７月１１日の各充電率の電力料金（(A(3,0)+A(7,0) +A(10,0))/3,・・・, (A(3,100)+A(7,100)+A(10,100))/3）にする。
【００５３】
そして、算出された７月１１日の各充電率の電力料金の中から、最も安い電力料金を選択する（ステップＳ６）。例えば、(A(3,100)+A(7,100)+A(10,100))/3が最も安い電力料金となった場合は、充電率100％が目標蓄電量として選択される。
【００５４】
そこで、ステップＳ７では、午前７時に蓄電装置２の充電率が100％となるように蓄電スケジュールを設定し、その蓄電スケジュールに従って制御対象日となる７月１１日の制御を制御装置３によって行う。
【００５５】
次に、本実施の形態の電力制御システムの作用について説明する。
【００５６】
このように構成された本実施の形態の電力制御システムは、太陽光発電装置１と蓄電装置２とを備えた住宅の電力制御を行うにあたって、予測天気情報と、予測天気情報と同じカテゴリーに分類される過去の実測天気情報に関連付けられた太陽光発電装置１の発電量及び電力負荷６の電力消費量を利用する。
【００５７】
このため、発電量などの予測を行う必要がなく、演算負荷の少ないシステム構成にすることができる。また、計測器によって実際に計測された住宅の電力消費量の実績データを利用するようにすれば、エアコンの温度設定や家電製品の使用頻度などの住人の電力消費行動に合った精度の高い予測に基づく制御を行うことができる。
【００５８】
さらに、制御対象日に近い順に所定の日数分の過去の実績データを抽出する構成とすることで、季節に合わせた制御を行うことができる。また、抽出された実績データに基づいてそれぞれ算出される電力料金の平均値を使用することで、来客があった日や一日中外出していた日などの特殊な日の実績データの影響を受け難くすることができる。
【００５９】
また、蓄電量を例えば１１段階と細かく変化させたケースについて演算を行うことで、想定だけでは辿りつけない最適解を導き出すことができるようになる。
【００６０】
以上、図面を参照して、本発明の実施の形態を詳述してきたが、具体的な構成は、この実施の形態に限らず、本発明の要旨を逸脱しない程度の設計的変更は、本発明に含まれる。
【００６１】
例えば、前記実施の形態では、分散型の発電装置として太陽光発電装置１についてしか説明していないが、燃料電池、化石燃料による小型発電機などを備えた住宅の電力制御システムであってもよい。
【００６２】
また、前記実施の形態で説明した電力価格は例示であって、電力価格が変化する時間や価格が異なる時間帯の数は、電力会社の経営方針やその時の政策などによって変化する。
【符号の説明】
【００６３】
１            太陽光発電装置
２            蓄電装置
３            制御装置
３１          予測天気取得手段
３２          データ抽出手段
３３          目標蓄電量設定手段
３４          蓄電スケジュール設定手段
３５          記憶手段
【図１】
2014107992.tif 000003
【図２】
2014107992.tif 000004
【図３】
2014107992.tif 000005
【図４】
2014107992.tif 000006